(57)【要約】【課題】肉眼では確認できない段階の煙であっても、煙の発生位置を狭い範囲で特定できる煙検知装置を提供すること、又、そのようにできる煙の発生位置の特定方法を提供する。【解決手段】可撓管３が接続されたサンプリング管４と、サンプリング管４が可撓管３を介して接続され、サンプリング管４を介して吸引した空気中に含まれる煙を検知する吸引式の煙検知装置本体５と、電源部６と、移動のための車輪７を有し、サンプリング管４が接続された煙検知装置本体が載置されると共に、電源部６が載置されて、その状態で移動可能な架台部８とを備えていることを特徴とする移動式の煙検知装置１である。【選択図】図１
2014106678.tif 000002
【特許請求の範囲】
【請求項１】
先端側に空気を吸引するためのサンプリング孔を有し、基端側に可撓管が接続されたサンプリング管と、
前記サンプリング管が前記可撓管を介して接続され、前記サンプリング管を介して吸引した空気中に含まれる煙を検知する吸引式の煙検知装置本体と、
前記煙検知装置本体に電気的に接続されて電気を供給する電源部と、
移動のための車輪を有し、前記サンプリング管が接続された前記煙検知装置本体が載置されると共に、前記電源部が載置されて、その状態で前記車輪によって移動可能な架台部と、
を備えていることを特徴とする移動式の煙検知装置。
【請求項２】
前記サンプリング孔は、前記サンプリング管の先端前方に向けて開口する１個の孔と、周囲に向けて開口する複数個の孔とを含むことを特徴とする請求項１に記載の移動式の煙検知装置。
【請求項３】
前記架台部は、前記煙検知装置本体が排出する空気を収容する排気収容室を有することを特徴とする請求項１又は２に記載の移動式の煙検知装置。
【請求項４】
前記車輪は、その車輪幅が３０ｍｍ以上であることを特徴とする請求項１乃至３の何れか一項に記載の移動式の煙検知装置。
【請求項５】
請求項１乃至４の何れか一項に記載の移動式の煙検知装置を利用して煙の発生位置を特定する煙発生位置の特定方法であって、
防護空間に常時固定の装置として設けられる固定式の煙検知装置が煙の発生を検知した後に、その防護空間において前記移動式の煙検知装置を利用して実行される次の段階、即ち、
前記移動式の煙検知装置のサンプリング管自体を移動させながら前記防護空間の煙を検知することにより、又は、前記移動式の煙検知装置の装置全体を移動させながら前記防護空間の煙を検知することにより、煙の発生位置を特定する段階、  を含むことを特徴とする煙発生位置の特定方法。
【請求項６】
前記煙の発生位置を特定する段階は、前記移動式の煙検知装置の煙検知装置本体の煙の検知感度を前記固定式の煙検知装置の煙検知装置本体の煙の検知感度よりも鈍くして実行されることを特徴とする請求項５に記載の煙発生位置の特定方法。
【請求項７】
前記煙の発生位置を特定する段階は、前記移動式の煙検知装置のサンプリング管を移動させながら前記防護空間の煙を検知する際に、又は、前記移動式の煙検知装置の装置全体を移動させながら前記防護空間の煙を検知する際に、煙を検知する感度を変更する段階を含むことを特徴とする請求項５又は６に記載の煙発生位置の特定方法。
【発明の詳細な説明】
【技術分野】
【０００１】
この発明は、防護空間を移動しながら煙を検知する移動式の煙検知装置及びそれを用いた煙の発生位置の特定方法に関するものである。
【背景技術】
【０００２】
従来、初期火災検知のためのものとして、防護空間の空気をサンプリング管を介して吸引し、その空気中に含まれる煙を検知する吸引式の煙検知装置が用いられている。
【０００３】
吸引式の煙検知装置は、具体的には、防護空間の空気を吸引するためのサンプリング管と共に防護空間の天井や壁等に固定して設けられ、サンプリング管を介して吸引してサンプリングした空気中に含まれる煙を光学的に検知して煙を検知するものである（例えば、特許文献１参照）。
【０００４】
尚、吸引式の煙検知装置は、サーバ室等に設置されている空調機の冷媒ガスの漏れを検知するものとしても利用することができる。
【先行技術文献】
【特許文献】
【０００５】
【特許文献１】特許第３６４８３０７号公報
【発明の概要】
【発明が解決しようとする課題】
【０００６】
吸引式の煙検知装置は、通常、吸引式ではない他の煙感知器や煙検知装置に比べて煙を高感度で検知する能力を発揮させることができることから、電算機室等の重要設備のある空間に設置されることが多いが、その場合、火災の極めて初期の予兆段階から捉えて対処できるようにするために、煙が肉眼では確認できない段階のものであっても、それを煙として検知することができる程の高感度の設定で設置されている。
【０００７】
吸引式の煙検知装置がそのような高感度の設定で設置されている場合、火災を予兆段階で捉えることができることになるが、煙検知装置が作動した際に、検知した煙が肉眼では確認できない段階のものであると、その発生位置を肉眼では特定できないので、煙の発生位置として特定できるのは作動した煙検知装置の防護範囲までであり、さらに狭い範囲までは特定できず、そのため作動した煙検知装置の防護範囲全体を対象として必要な対処をせざるを得なかった。
【０００８】
尚、前記の特許文献１の発明は、吸引式の煙検知装置を備えた煙検知システムにおいて、アドレスの設定可能な煙検知装置を複数分散配置して設けることにより、煙の発生位置を特定することができるようにする技術を提案しているが、その技術によっても、煙の発生位置として特定できるのは分散配置された各煙検知装置の防護範囲までであり、さらに狭い範囲までは特定できないことに変わりはない。
【０００９】
この発明は、上記の事情に鑑み、肉眼では確認できない段階の煙であっても、煙の発生位置を狭い範囲で特定できる煙検知装置を提供することを目的とするものであり、又、そのようにできる煙の発生位置の特定方法を提供することを目的とするものである。
【課題を解決するための手段】
【００１０】
この発明は、先端側に空気を吸引するためのサンプリング孔を有し、基端側に可撓管が接続されたサンプリング管と、前記サンプリング管が前記可撓管を介して接続され、前記サンプリング管を介して吸引した空気中に含まれる煙を検知する吸引式の煙検知装置本体と、前記煙検知装置本体に電気的に接続されて電気を供給する電源部と、移動のための車輪を有し、前記サンプリング管が接続された前記煙検知装置本体が載置されると共に、前記電源部が載置されて、その状態で前記車輪によって移動可能な架台部と、を備えていることを特徴とする移動式の煙検知装置である。
【００１１】
又、この発明は、前記サンプリング孔は、前記サンプリング管の先端前方に向けて開口する孔と、周囲に向けて開口する複数個の孔とを含むことを特徴とする移動式の煙検知装置である。
【００１２】
又、この発明は、前記架台部は、前記煙検知装置本体が排出する空気を収容する排気収容室を有することを特徴とする移動式の煙検知装置である。
【００１３】
又、この発明は、前記車輪は、その車輪幅が３０ｍｍ以上であることを特徴とする移動式の煙検知装置である。
【００１４】
又、この発明は、前記の移動式の煙検知装置を利用して煙の発生位置を特定する煙発生位置の特定方法であって、防護空間に常時固定の装置として設けられる固定式の煙検知装置が煙の発生を検知した後に、その防護空間において前記移動式の煙検知装置を利用して実行される次の段階、即ち、前記移動式の煙検知装置のサンプリング管自体を移動させながら前記防護空間の煙を検知することにより、又は、前記移動式の煙検知装置の装置全体を移動させながら前記防護空間の煙を検知することにより、煙の発生位置を特定する段階、を含むことを特徴とする煙発生位置の特定方法である。
【００１５】
又、この発明は、前記煙の発生位置を特定する段階は、前記移動式の煙検知装置の煙検知装置本体の煙の検知感度を前記固定式の煙検知装置の煙検知装置本体の煙の検知感度よりも鈍くして実行されることを特徴とする煙発生位置の特定方法である。
【００１６】
又、この発明は、前記煙の発生位置を特定する段階は、前記移動式の煙検知装置のサンプリング管を移動させながら前記防護空間の煙を検知する際に、又は、前記移動式の煙検知装置の装置全体を移動させながら前記防護空間の煙を検知する際に、煙を検知する感度を変更する段階を含むことを特徴とする煙発生位置の特定方法である。
【発明の効果】
【００１７】
この発明によれば、移動式の煙検知装置のサンプリング管自体を移動させながら煙を検知することにより、又は、移動式の煙検知装置の装置全体を移動させながら煙を検知することにより、煙の発生位置を特定することができるので、肉眼では確認できない煙であっても、煙の発生位置を狭い範囲で特定することができる。
【００１８】
従って、この発明によれば、肉眼では確認できない煙であっても、煙の発生位置を狭い範囲で特定できる煙検知装置を提供することができ、又、そのようにできる煙の発生位置の特定方法を提供することができる。
【図面の簡単な説明】
【００１９】
【図１】この発明の移動式の煙検知装置の実施形態の一例を示し、サンプリング管が接続された状態における装置全体の正面図である。
【図２】同上を示し、サンプリング管が取り外された状態における装置全体の平面図である。
【図３】同上を示し、サンプリング管が取り外された状態における装置全体の右側面図である。
【図４】同上を示し、サンプリング管が取り外された状態における装置全体の図１のＡ−Ａ線拡大矢視断面図である。
【図５】同上を示し、サンプリング管の先端側の拡大斜視図である。
【図６】固定式の煙検知装置が設置されている防護空間において、この発明の煙発生位置の特定方法を実行する際の態様の一例を示した概略図である。
【発明を実施するための形態】
【００２０】
この発明の実施形態を図１乃至図６に基いて説明する。
【００２１】
先ず、図１乃至図５に基いて、この発明の移動式の煙検知装置の実施形態の一例について説明する。
【００２２】
移動式煙検知装置１は、この発明の実施形態の煙検知装置の実施形態の一例であり、図１乃至図５に示したように、先端側に空気を吸引するためのサンプリング孔２を有し、基端側に可撓管３が接続されたサンプリング管４と、サンプリング管４が可撓管３を介して接続され、サンプリング管４を介して吸引した空気中に含まれる煙を検知する吸引式の煙検知装置本体５と、煙検知装置本体５に電源を供給する電源部６と、移動のための車輪７を有し、サンプリング管４が外部に露出した状態で接続された煙検知器本体５が載置されると共に、電源部６が載置され、それらが載置された状態で車輪７によって移動可能な架台部８とを備えている。
【００２３】
即ち、移動式煙検知装置１は、操作者がサンプリング管４を把持して、サンプリング管４自体を移動させながら対象空間の煙を検知することができるようになっていると共に、操作者が車輪７を有する架台部８を押して、装置１全体を移動させながら対象空間の煙を検知することができるようになっている。
【００２４】
従って、移動式煙検知装置１によれば、操作者は、サンプリング管４自体を移動させながら対象空間の煙を検知することにより、又は、装置１全体を移動させながら対象空間の煙を検知することにより、煙の発生位置を特定することができるので、発生した煙が肉眼では確認できない段階のものであっても、その発生位置を狭い範囲で特定することができる。
【００２５】
これにより、移動式煙検知装置１は、例えば、電算機室等の固定式の煙検知装置が設けられている防護空間において煙の発生位置を特定するのに利用可能なものであるが、発生位置を特定する煙が肉眼では確認できない段階のものであり、固定式の煙検知装置によっては作動した煙検知装置の防護範囲内にある電算機等の全てを対象としてしか対処できないような段階のものであっても、前記のように煙の発生位置を狭い範囲で特定することができることで、狭い範囲内にある電算機等のみを対象として対処すれば足りるようにすることができ、対象外の電算機等は使用を継続することができると共に、対処に要する時間を格段に短縮することができる。
【００２６】
更に、本実施形態の移動式煙検知装置１について、各構成部分の詳細を説明する。
【００２７】
架台部８は、底部に車輪７を有していることにより台車として機能するものであるが、その架台部分は全体として箱状をなすものとなっており、その構造の骨格となるフレーム８ｇと六面（上面、下面、前面、上面、左側面及び右側面）をそれぞれ閉鎖するパネル８ａ〜８ｆとを備えたものとなっており、更に、内部に煙検知装置本体５が載置される上段載置台９と電源部６が載置される下段載置台１０とを備えたものとている。尚、本実施形態において、架台部８の上面パネル８ａは、上段載置台９に載置される煙検知装置本体５を上方から覆うものとなっているが、ヒンジ１２によってその全体が上下に搖動して開閉可能に設けられたものとなっており、更に、閉じられている状態でも、煙検知装置本体５の表示部５ａを視認したり、操作部５ｂを操作したりすることができるように、煙検知装置本体５の表示部５ａと操作部５ｂに対応する位置に透明な板体からなる小蓋１３が上面パネルに沿ってスライドして開閉可能な小窓１４を備えたものとなっている。又、この架台部８において、１７は上面パネルを開閉させる際の取っ手であり、１８は架台部８を移動させる際のハンドルである。
【００２８】
煙検知装置本体５は、前記の通り、架台部８の上段載置台９に載置されるものであるが、その状態でサンプリング管４を可撓管３を介して容易に接続することができるように、図４に詳細を示したように、吸気口にフレキシブルパイプ１５を介して接続され、右側面パネル８ｆを貫通して可撓管３との接続部を外部に露出させて設けられた連結管１６を備えており、その連結管１６に可撓管３が外部から接続されることにより、サンプリング管４が可撓管を介して容易に接続することができるようになっている。尚、連結管１６に対して可撓管３は着脱自在になっており、常時はサンプリング管４と共に連結管１６から取り外しておき、架台部８の内部に収納しておくことが可能である。このとき、上段載置台９は架台部８の開口部に対し小さいので、上段載置台９により塞がれていない部分からサンプリング管４と可撓管３とを架台部８の内部に収納することが可能となっている。
【００２９】
ここで、煙検知装置本体５の機器構成及び煙検知のメカニズムについて簡単に説明する。煙検知装置本体５は、前記の通り吸引式のものであり、図示は省略するが、煙を光学的に検知するための煙検出ユニットと、空気をサンプリング管４を介して吸引して煙検出ユニット内の検煙部を通過させるためのファンとを内部に備え、吸引した空気が煙検出ユニット内の検煙部を通過する際に、空気中に煙が含まれていると、それを光学的に検知（散乱光の検知）することができるようになっている。尚、煙検知装置本体５において、煙検出ユニットは煙を光学的に検知するために発光素子と受光素子とを有するが、その発光素子の光源としてレーザを用いることにより、極めて高い感度で煙を検知することが可能である。
【００３０】
更に、煙検知装置本体５は、その筐体の上面に検知した煙の量の大小を段階的に表示する表示部５ａと、各種操作をするための操作部５ｂとを備えており、前記の通り、それらは架台部８の上面パネル８ａが閉じられている状態でも、小窓１４を介して視認したり、操作したりすることができるようになっており、煙の検知量を確認したり、必要な操作をしながら、煙の発生位置を特定することができるようになっている。尚、煙検知装置本体５は、図示は省略するが、煙検知の感度を変更する感度調節手段も備えており、適宜、煙検知の感度を変更することができるようになっており、例えば、煙の発生位置に近づくのに従って煙の検知量が増大するのに対応して、煙検知の感度を低く（鈍く）変更し、表示部５ａによる表示スケールの倍率を変更したりすることができるようになっており、それにより煙の発生位置をより狭い範囲で特定することができるようになっている。
【００３１】
架台部８は、箱状でなくてもよいが、前記のように箱状にすることにより、内部に煙検知装置本体５からの排気を収容する排気収容室を形成することができ、煙検知装置本体５から検煙後に排出される空気を内部に収容し、排出される空気中に煙が含まれていたとしても、その煙が架台部８の外部に排出されないようにして、再度サンプリング管４によって吸引されるのを防ぐことができる。
【００３２】
サンプリング管４は、直筒状をなす樹脂製の硬質パイプからなり、操作者が把持して移動させ易いようになっており、又、着脱自在のキャップ状の先端部分４ａにサンプリング孔２が形成されたものとなっており、更に、そのサンプリング孔２が、図５に詳細を示したように、サンプリング管４の先端前方に向けて開口する１個の孔と、周囲に向けて開口する複数個の孔とからなるものとなっており、前方からも、周囲からも空気を吸引することができるようになっている。尚、サンプリング孔２の配置については、適宜変更することができるようにしてもよく、その場合、サンプリング孔２の配置を異にするキャップ状の先端部分４ａを用意し、それを付け替えることにより変更するようにしてもよいし、サンプリング管４自体を可撓管３に対して付け替えて変更してもよい。更に、サンプリング孔２を先端部分４ａに形成するのに代えて、壁面等に沿って煙を吸引し易くするために、サンプリング孔２をサンプリング管４の直筒状の部分に長さ方向に沿って列状に形成するようにしてもよい。
【００３３】
電源部６としては、充電池を用いることができ、充電池を用いれば、外部電源からの給電のためのコードなしで煙検知装置本体５を動作させながら、煙検知装置１全体を移動させることができる。
【００３４】
車輪７は、走行する床面に応じて適宜のものとすることができ、例えば、走行する床面が電算機室等に多いグレーチング（長方形の穴の短辺が３０ｍｍ以下の場合が多い）のものである場合は、車輪の脱落なしに走行することができるような車輪幅の広い車輪（車輪幅３０ｍｍ以上）を有するものとすることができる。
【００３５】
次に、図６に基いて、この発明の煙発生位置の特定方法の実施形態の一例について説明する。
【００３６】
この発明の煙発生位置の特定方法は、図６に示したように、例えば、固定式の装置である固定式煙検知装置１００が設けられている電算機室Ｒ等において、前記の移動式煙検知装置１を利用して実行することができる。
【００３７】
ここで、固定式煙検知装置１００について簡単に説明する。固定式煙検知装置１００は、電算機室Ｒ内の空気を吸引するためのサンプリング孔を有するサンプリング管１０２と、サンプリング管１０２を介して吸引した空気中の煙を検知する吸引式の煙検知装置本体１０１とを備え、電算機室Ｒを防護空間とする常時固定の装置として設けられている。尚、固定式煙検知装置１００における煙検知装置本体１０１の機器構成等は、前記の移動式煙検知装置１における煙検知装置本体５と同様のものとすることができる。
【００３８】
電算機室Ｒにおいて、煙が発生すると、先ず、固定式煙検知装置１００がその煙を検知する。固定式煙検知装置１００により検知された煙が肉眼では確認できない段階のものであると、固定式煙検知装置１００によって特定することができる煙の発生位置はその防護範囲までであるが、前記の移動式煙検知装置１を利用することにより煙の発生位置を狭い範囲で特定することができる。
【００３９】
即ち、電算機室Ｒにおいて、煙が発生した際、常時固定の装置として設けられる固定式煙検知装置１００が煙の発生を検知した後に、図６に示したように、前記移動式煙検知装置１を利用して、移動式煙検知装置１のサンプリング管４自体を電算機Ｍに向けて移動させながら電算機室Ｒ内の煙を検知することにより、又は、移動式煙検知装置１の装置全体を電算機Ｍに沿って移動させながら電算機Ｒ内の煙を検知することにより、煙の発生位置を特定する段階を実行することで、発生した煙が肉眼では確認できない段階のものであっても、煙の発生位置を狭い範囲で特定することができる。この際、予め固定式煙検知装置１００の煙検知装置本体１０１よりも移動式煙検知装置１の煙検知装置本体５の感度を鈍く（例えば、固定式のものが作動する煙濃度の２．５倍で作動するようにする。）設定して、移動式煙感知装置１による煙の発生位置を特定する段階を実行することができる。
【００４０】
尚、移動式煙検知装置１によって煙の発生位置を特定する段階を実行する際、煙の検知感度を変更しながら実行してもよく、例えば、前記したように、感度調節手段によって、煙の発生位置に近づくのに従って煙の検知量が増大するのに対応し、煙検知の感度を低く変更して、表示部５ａによる表示スケールの倍率を変更し、それにより煙の発生位置をよりスムーズにより狭く特定することができるようにしてもよい。
【００４１】
以上、この発明の実施形態について詳細に説明したが、この発明は上記の実施形態に限定されるものではなく、この発明の要旨の範囲内で種々の変更等が可能である。
【００４２】
例えば、電算機室Ｒにおいて、固定式煙検知装置１００はアドレス設定可能なものにして、それを複数設けるようにしてもよく、移動式煙検知装置１を移動させる範囲を作動した固定式煙検知装置１００の防護範囲に絞った上で、移動式煙検知装置１による煙の発生位置を特定する段階を実行するようにしてもよい。
【符号の説明】
【００４３】
１：移動式煙検知装置  ２：サンプリング孔  ３：可撓管
４：サンプリング管  ４ａ：先端部分  ５：煙検知装置本体（移動式）
５ａ：表示部  ５ｂ：操作部  ６：電源部  ７：車輪  ８：架台部
８ａ：上面パネル  ８ｂ：下面パネル  ８ｃ：前面パネル  ８ｄ：後面パネル
８ｅ：左側面パネル  ８ｆ：右側面パネル  ８ｇ：フレーム
９：上段載置台  １０：下段載置台  １２：ヒンジ  １３：小蓋  １４：小窓
１５：フレキシブル管  １６：連結管  １７：取っ手  １８：ハンドル
１００：固定式煙検知装置  １０１：煙検知装置本体（固定式）
１０２：サンプリング管  Ｍ：電算機  Ｒ：電算機室
【図１】
2014106678.tif 000003
【図２】
2014106678.tif 000004
【図３】
2014106678.tif 000005
【図４】
2014106678.tif 000006
【図５】
2014106678.tif 000007
【図６】
2014106678.tif 000008